(57)【特許請求の範囲】
【請求項１】
歯科用スピットンの排水口に配設されて該スピットン内に廃棄されるゴミをトラップするゴミ除け装置であって、該ゴミ除け装置は、水を通過させかつゴミをトラップするための多数の細孔を有するゴミ除け容器本体と、該ゴミ除け容器本体の上部に該ゴミ除け容器本体の上端から多少の隙間を持って着脱自在に配設されかつ下部周辺部に多数の羽根を有する蓋部材とから成り、前記ゴミ除け容器本体は、底部中心より上方に延長する支持柱を有し、該支持柱の頂部に前記蓋部材が回転自在に配設されていることを特徴とする歯科用スピットンのゴミ除け装置。
【請求項２】
前記蓋部材の表面は撥水処理が施されていることを特徴とする請求項１に記載の歯科用スピットンのゴミ除け装置。
【請求項３】
前記支持柱の先端は先細に形成され、前記蓋部材の回転時における摩擦抵抗を小さくしたことを特徴とする請求項１又は２に記載の歯科用スピットンのゴミ除け装置。
【請求項４】
前記羽根は前記蓋部材の径方向軸線に対して所定の角度をもって配設されていることを特徴とする請求項１乃至３のいずれかに記載の歯科用スピットンのゴミ除け装置。
【請求項５】
前記蓋部材の上表面が平滑に形成されていることを特徴とする請求項１乃至４のいずれかに記載の歯科用スピットンのゴミ除け装置。
【発明の詳細な説明】
【０００１】
【発明の属する技術分野】
本発明は、歯科用スピットンにおけるゴミ除け装置、より詳細には、該ゴミ除け装置の蓋部材の上表面に患者が吐き出したうがい水中に含まれる染色液等が付着しないようにしたゴミ除け装置に関する。
【０００２】
【従来の技術】
図３は、本発明が適用されるスピットンを備えた歯科治療ユニットの一例を説明するための概略構成図で、図中、１０は歯科治療ユニットで、該ユニット１０は、治療椅子１，ワークテーブル２，スピットン３，給排ボックス４，インスツルメントホルダ５，フットスイッチ６，アシスタントインスツルメントホルダ７等から成り、インスツルメントホルダ５には、歯科治療において使用する種々のインスツルメント８が収納されており、周知のように、歯科治療に当り、患者は治療椅子１に座り、頭を安頭台９に固定して治療を受ける。治療中、術者は治療椅子１を上下動，倒起動，傾斜動等させて、患者を治療しやすい姿勢にして治療を行う。
【０００３】
図４は、従来の歯科治療ユニットにおける給排水系統の一例を説明するための要部概略構成図で、図中、３はスピットン、１１は鉢洗い水供給管、１２は電磁弁、１３はうがい水供給管、１４は電磁弁、１５はスピットン排水管で、周知のように、歯科治療中、又は治療後に、患者はうがい水供給管１３から噴出される水（噴水式）、或いは、うがい水供給管１３からの水をコップに受けて（コップ式）、口腔内をうがいし、うがいした水をスピットン３内に吐き捨てる。上述のごとき、うがい等によって汚れたスピットン３は、スピットン（鉢）洗い水供給管１１から供給される水で洗われ、うがい水と共に吐き出された血液、唾液等の汚液は排水管１５を通して排出される。
【０００４】
一方、うがい水と共に吐き出された汚物、例えば、歯牙の破片、歯牙修復のための充填材の破片等は、ゴミ除け装置、例えば、フィルタ１６によりトラップされ、トラップされたゴミはアシスタント等により、時々、取り除かれる。
【０００５】
図５は、上述のごときゴミ除け装置の一例を示す要部構成図で、図中、３はスピットン（鉢），１６はゴミ除け装置の容器本体（フィルタ），１７は蓋部材で、該ゴミ除け容器本体１６は底部及び／又は側壁に液体を通し、ゴミ等をトラップする小さな孔を多数有し、中央には、蓋部材１７を着脱自在に支持する支持柱１６ａが設けられており、この支持柱１６ａの上に蓋部材１７が着脱自在に配設されており、ゴミ除け容器本体１６に溜ったゴミ等が外部から見えないようにしている。
【０００６】
【発明が解決しようとする課題】
上述のように、歯科治療においては、患者がうがいした時に出したゴミをトラップするために、鉢の排水口にフィルタ（ゴミ除け容器）１６が入っており、そのフィルタの目隠しとしてゴミ除けキャップ（蓋部材）１７が設けられている。患者が染色液を使用したあとうがいすると、ゴミ除けキャップ（蓋部材）１７の上表面に染色液が付着してしまう。この場合、鉢洗い水Ｗが流れても、ゴミ除けキャップ１７の上表面には水がかからないため、染色液がそのままゴミ除けキャップ１７の上表面に残り、ゴミ除けキャップ１７の上表面が赤く変色してしまう。
【０００７】
本発明は、上述のごとき実情に鑑みてなされたもので、ゴミ除け装置の蓋部材の上表面に染色液等が残留して該蓋部材の上表面が変色してしまうのを防止することを目的としてなされたものである。
【０００８】
【課題を解決するための手段】
請求項１の発明は、歯科用スピットンの排水口に配設されて該スピットン内に廃棄されるゴミをトラップするゴミ除け装置であって、該ゴミ除け装置は、水を通過させかつゴミをトラップするための多数の細孔を有するゴミ除け容器本体と、該ゴミ除け容器本体の上部に該ゴミ除け容器本体の上端から多少の隙間を持って着脱自在に配設されかつ下部周辺部に多数の羽根を有する蓋部材とから成り、前記ゴミ除け容器本体は、底部中心より上方に延長する支持柱を有し、該支持柱の頂部に前記蓋部材が回転自在に配設されていることを特徴としたものである。
【０００９】
請求項２の発明は、請求項１の発明において、前記蓋部材の表面は撥水処理が施されていることを特徴としたものである。
【００１０】
請求項３の発明は、請求項１又は２の発明において、前記支持柱の先端は先細に形成され、前記蓋部材の回転時における摩擦抵抗を小さくしたことを特徴としたものである。
【００１１】
請求項４の発明は、請求項１乃至３のいずれかの発明において、前記羽根は前記蓋部材の径方向軸線に対して所定の角度をもって配設されていることを特徴としたものである。
【００１２】
請求項５の発明は、請求項１乃至４のいずれかの発明において、前記蓋部材の上表面が平滑に形成されていることを特徴としたものである。
【００１３】
【発明の実施の形態】
図１は、本発明によるゴミ除け装置をスピットン３の排水口に排設した時の状態を示す断面図、図２は、本発明によるゴミ除け装置のゴミ除け容器本体１６と蓋部材１７とを分離して示す図で、ゴミ除け容器本体１６は、図５に示したゴミ除け容器本体１６と同様の作用をするもので、図示のように、スピットン３の排水口に配設され、前述のように、該スピットン３内に廃棄されたゴミ等をトラップし、うがい水、洗浄水等を排水管１５に流すものである。
【００１４】
蓋部材１７は、図５に示した蓋部材１７と同様、ゴミ除け容器本体１６に設けられた支持柱１６ａの頂部に着脱自在に搭載され、かつ、該支持柱１６ａの頂部で回転可能に支持されている。本発明においては、この蓋部材１７の下部周辺部に多数の羽根１７ａが設けられており、図１に示すように、スピットン３内に洗浄水Ｗが流された時に、この洗浄水Ｗが前記ゴミ除け容器本体１６の上部と蓋部材１７の下部との間の隙間に流れ込み、その際、流れ込んだ水が羽根１７ａに当って蓋部材１７を回転させる。
【００１５】
而して、上述のように、患者が染色液を使用したあとうがいするとゴミ除けキャップ１７の上表面に染色液が付着し、鉢洗い水が流れてもゴミ除けキャップ１７の上表面には水がかからないため染色液がそのまま残り、ゴミ除けキャップ１７の上表面が赤く変色してしまう。本発明は、その染色液の残留を防止することを目的としてなされたもので、ゴミ除けキャップ１７を鉢洗い水Ｗで回転させ、その遠心力によって弾き飛ばして、該ゴミ除けキャップ１７の上表面に染色液が残留するのを防止するようにしたものである。
【００１６】
ゴミ除けキャップ１７の下部周辺部に設けた多数の羽根１７ａは、該ゴミ除けキャップ１７を回転させるために設けたもので、うがい後に、スピットン３内に洗浄水を流すと、該うがい水Ｗが羽根１７ａに当って、該ゴミ除けキャップ１７を回転し、該ゴミ除けキャップ１７の上表面上の染色液を吹き飛ばす。
【００１７】
ゴミ除けキャップ１７の回転をよりスムーズに行うためには、支持柱１６ａの上端部を先細にして該支持柱１６ａとゴミ除けキャップ１７の摩擦抵抗を小さくし、また、ゴミ除けキャップ１７の上表面上の染色液を吹き飛ばすには、該ゴミ除けキャップ１７の上表面に撥水性処理を施し、更には、該ゴミ除けキャップ１７の上表面を平滑にし、更に、ゴミ除けキャップの回転を効果的に行うためには、羽根１７ａを該ゴミ除けキャップ１７の径方向の放射線に対して少し傾斜させ、洗浄水噴射口から放出され、排水口に直接向う水が、羽根１７ａに斜めに当るようにするとよい。
【００１８】
【発明の効果】
以上の説明から明らかなように、本発明によると、歯科治療におけるスピットン装置において、該スピットン内に配設されたゴミ除け装置の蓋部材の上表面に染色液が付着しないようにしたので、スピットン内を清潔に保つことができる。
【図面の簡単な説明】
【図１】  本発明によるゴミ除け装置をスピットンの排水口に配設した時の状態を示す断面図である。
【図２】  本発明によるゴミ除け装置のゴミ除け容器本体と蓋部材とを分離して示す図である。
【図３】  本発明が適用されるスピットンを備えた歯科治療ユニットの一例を説明するための概略構成図である。
【図４】  従来の歯科治療ユニットにおける給排水系統の一例を説明するための要部概略構成図である。
【図５】  ゴミ除け装置の一例を示す要部構成図である。
【符号の説明】
１…治療椅子、２…ワークテーブル、３…スピットン、４…給排ボックス、５…インスツルメントホルダ、６…フットスイッチ、７…アシスタントインスツルメントホルダ、８…種々のインスツルメント、９…安頭台、１０…歯科治療ユニット、１１…鉢洗い水供給管、１２，１４…電磁弁、１３…うがい水供給管、１５…スピットン排水管、１６…ゴミ除け装置の容器本体（フィルタ）、１６ａ…支持柱、１７…蓋部材（ゴミ除けキャップ）、１７ａ…羽根。
【図１】
0003644942.tif 000002
【図２】
0003644942.tif 000003
【図３】
0003644942.tif 000004
【図４】
0003644942.tif 000005
【図５】
0003644942.tif 000006